(57)【要約】【課題】  計器の美観を損ねることなく文字板を確実に導光板に固定することができる計器の文字板固定構造を提供する。【解決手段】  文字板２０における貫通孔１１に対応する位置には貫通孔１１より大きい開口部２２が設けられており、導光板１０の貫通孔１１の周縁部における文字板２０で覆われていない部分には遮光性キャップ３４で覆われる出光部１２が設けられており、出光部１２には文字板２０側に突出し先端が貫通孔１１の円周方向を向くように形成された略Ｌ字型の鉤部１３が設けられており、鉤部１３は貫通孔１１の中心を中心とし出光部１２における貫通孔１１の中心から最も離れた点と中心とを結んだ直線を半径とする円の内側に位置するように構成されており、開口部２２は鉤部１３によって係止される被係止部２２ａを有しており、文字板２０の開口部２２の内側に鉤部１３がくるように位置合わせをした後、鉤部１３によって被係止部２２ａを係止する。【選択図】        図２
2006112984.tif 000002
【特許請求の範囲】
【請求項１】
発光指針（３０）の指針軸（３１）を挿通させるための貫通孔（１１）を有するとともに、光源の光を前記発光指針（３０）に導く導光板（１０）と、
前記導光板（１０）の表面に配設される文字板（２０）とを備える計器の文字板固定構造であって、
前記文字板（２０）における前記導光板（１０）の貫通孔（１１）に対応する位置には、前記貫通孔（１１）より大きい開口部（２２）が設けられており、
前記導光板（１０）の前記貫通孔（１１）の周縁部における前記文字板（２０）で覆われていない部分には、前記光源の光が導出するとともに、前記発光指針（３０）の回転中心に設けられている遮光性キャップ（３４）で覆われる出光部（１２）が設けられており、
前記導光板（１０）の出光部（１２）には、前記文字板（２０）側に突出し、先端が前記貫通孔（１１）の円周方向を向くように形成された略Ｌ字型の鉤部（１３）が設けられており、
前記鉤部（１３）は、前記貫通孔（１１）の中心を中心とし、前記出光部（１２）における前記貫通孔（１１）の中心から最も離れた点と中心とを結んだ直線を半径とする円の内側に位置するように構成されており、
前記文字板（２０）の開口部（２２）は、前記鉤部（１３）によって係止される被係止部（２２ａ）を有しており、
前記文字板（２０）の前記開口部（２２）の内側に前記鉤部（１３）がくるように位置合わせをした後、前記鉤部（１３）によって前記被係止部（２２ａ）を係止することで、前記文字板（２０）が前記導光板（１０）に固定されることを特徴とする計器の文字板固定構造。
【請求項２】
前記鉤部（１３）は前記出光部（１２）上に２つ設けられ、
２つの前記鉤部（１３）は前記貫通孔（１１）の中心を通る直線に対してそれぞれ反対側に配置されることを特徴とする請求項１に記載の計器の文字板固定構造。
【請求項３】
前記出光部（１２）において、前記鉤部（１３）が配置されていない部位を前記発光指針（３０）の可動範囲としたことを特徴とする請求項１および２に記載の計器の文字板固定構造。
【請求項４】
前記鉤部（１３）の先端が形成された方向の逆方向から前記文字板（２０）をスライドさせて固定することを特徴とする請求項１ないし３のいずれか１つに記載の計器の文字板固定構造。
【請求項５】
前記導光板（１０）には前記貫通孔（１１）が複数設けられているとともに、前記文字板（２０）には前記貫通孔（１１）に対応して前記開口部（２２）が複数設けられており、前記複数の計器の前記発光指針（３０）の光導入部（３３）の可動範囲に対向する前記出光部（１２）が同一方向にないことを特徴とする請求項１ないし４のいずれか１つに記載の計器の文字板固定構造。
【発明の詳細な説明】
【技術分野】
【０００１】
本発明は、導光板により導かれた光によって文字板を照明するため、導光板の表面に文字板を重ね合わせて固定する計器の文字板固定構造に関する。
【背景技術】
【０００２】
計器の文字板を照明するために、アクリル等の透明樹脂で形成された導光板の表面に文字板を重ね合わせ、光源からの光を導光板により文字板に導いて、文字板を透過照明する方法が知られている。
【０００３】
このような照明方法では、文字板を導光板の表面に重ね合わせて固定する必要があり、従来より導光板に設けた鉤部により文字板を固定する文字板固定構造が提案されている（例えば、特許文献１参照）。
【０００４】
図９は、従来の文字板固定構造を備えた計器の導光板と文字板を示す斜視図である。図９に示す文字板固定構造では、指針軸が挿通される貫通孔Ｊ１１の直径方向に鉤部Ｊ１３を１つ設け、その鉤部Ｊ１３に文字板Ｊ２０をスライドさせて導光板Ｊ１０に固定している。
【０００５】
上述のような文字板固定構造を備える計器において、文字板Ｊ２０を導光板Ｊ１０に固定した後、貫通孔Ｊ１１に導光板Ｊ１０からの光で発光する発光指針が取り付けられる。このとき、計器の見栄えをよくするために、鉤部Ｊ１３はボス部（遮光性キャップ）で覆われて、ユーザから見えなくなっている。
【０００６】
また、これらの計器に用いられる発光指針は、導光板Ｊ１０に対向する光導入部を有し、この光導入部により導光板Ｊ１０から光を発光指針内に導入する構成になっている。
【特許文献１】実開平４−５５５１１号公報
【発明の開示】
【発明が解決しようとする課題】
【０００７】
しかしながら、特許文献１に記載された計器の文字板固定構造では、文字板を固定する精度を向上させるために鉤部の面積を大きくする場合、鉤部は貫通孔の直径方向に大きくなってしまう。鉤部をボス部で覆う必要があるため、鉤部の面積が大きくなると、ボス部の面積も大きくしなくてはならず、計器の美観を損ねるという問題がある。
【０００８】
さらに、複数の計器を有するコンビネーションメータにおいて、複数の計器の文字板を１枚で構成する場合、文字板を導光板に固定する際のスライドさせる向きに合わせて鉤部を形成すると、発光指針の向きによっては発光指針の光導入部の作動範囲内に鉤部が位置し、その部分の照明効果を落としてしまう可能性がある。
【０００９】
本発明は、上記点に鑑み、計器の美観を損ねることなく文字板を確実に導光板に固定することができる計器の文字板固定構造を提供することを目的とする。
【００１０】
また、複数の計器の文字板を１枚で構成するコンビネーションメータに適用した際に、発光指針の照明効率を落とさない計器の文字板固定構造を提供することを他の目的とする。
【課題を解決するための手段】
【００１１】
上記目的を達成するため、請求項１に記載の発明では、発光指針（３０）の指針軸（３１）を挿通させるための貫通孔（１１）を有するとともに、光源の光を発光指針（３０）に導く導光板（１０）と、導光板（１０）の表面に配設される文字板（２０）とを備える計器の文字板固定構造であって、文字板（２０）における導光板（１０）の貫通孔（１１）に対応する位置には、貫通孔（１１）より大きい開口部（２２）が設けられており、導光板（１０）の貫通孔（１１）の周縁部における文字板（２０）で覆われていない部分には、光源の光が導出するとともに、発光指針（３０）の回転中心に設けられている遮光性キャップ（３４）で覆われる出光部（１２）が設けられており、導光板（１０）の出光部（１２）には、文字板（２０）側に突出し、先端が貫通孔（１１）の円周方向を向くように形成された略Ｌ字型の鉤部（１３）が設けられており、鉤部（１３）は、貫通孔（１１）の中心を中心とし、出光部（１２）における貫通孔（１１）の中心から最も離れた点と中心とを結んだ直線を半径とする円の内側に位置するように構成されており、文字板（２０）の開口部（２２）は、鉤部（１３）によって係止される被係止部（２２ａ）を有しており、文字板（２０）の開口部（２２）の内側に鉤部（１３）がくるように位置合わせをした後、鉤部（１３）によって被係止部（２２ａ）を係止することで、文字板（２０）が導光板（１０）に固定されることを特徴としている。
【００１２】
このように、貫通孔（１１）の中心と出光部（１２）の外周上の点とを結んだ直線を直径とする円の内側に鉤部（１３）を設けることで、鉤部（１３）の面積を大きくしても、遮光性キャップ（３４）の面積を大きくする必要がなくなる。このため、計器の美観を損ねることなく、文字板（２０）を確実に導光板（１０）に固定することができる。
【００１３】
なお、「略Ｌ字型」とは、文字板（２０）と平行な部分を有し、文字板（２０）を係止することができればよく、必ずしも直角に屈曲していなくてもよい。
【００１４】
また、請求項２に記載の発明のように、鉤部（１３）を前記出光部（１２）上に２つ設け、２つの鉤部（１３）を貫通孔（１１）の中心を通る直線に対してそれぞれ反対側に配置することで、文字板（２０）をより確実に導光板（１０）に固定することができる。
【００１５】
また、請求項３に記載の発明のように、出光部（１２）において、鉤部（１３）が配置されていない部位を発光指針（３０）の可動範囲とすることで、発光指針（３０）を常に均一に照明することができる。
【００１６】
また、請求項４に記載の発明のように、鉤部（１３）の先端が形成された方向の逆方向から文字板（２０）をスライドさせて固定することで、鉤部（１３）の長辺部（１３ａ）を長くしても折れることはなくなり、文字板（２０）をより確実に導光板（１０）に固定することができる。
【００１７】
また、請求項５に記載の発明では、導光板（１０）には貫通孔（１１）が複数設けられているとともに、文字板（２０）には貫通孔（１１）に対応して開口部（２２）が複数設けられており、複数の計器の発光指針（３０）の光導入部（３３）の可動範囲に対向する出光部（１２）が同一方向にないことを特徴としている。
【００１８】
これにより、文字板（２０）を導光板（１０）にスライドさせて固定したときに、コンビネーションメータのすべての計器において、発光指針（３０）の光導入部（３３）の作動範囲内に鉤部（１３）が位置することがなくなる。よって、発光指針（３０）の照明効果を落とすことなく文字板（２０）を導光板（１０）に固定することができる。
【００１９】
なお、上記各手段の括弧内の符号は、後述する実施形態に記載の具体的手段との対応関係を示すものである。
【発明を実施するための最良の形態】
【００２０】
（第１実施形態）
以下、本発明の第１実施形態について図１〜図６に基づいて説明する。
【００２１】
図１は本第１実施形態に係る文字板固定構造を備えた計器を示す正面、図２は図１に示す計器から発光指針を取り除いた状態を示す正面図である。図１および図２において、導光板は文字板の紙面奥側になっているため図示されていない。
【００２２】
図１および図２に示すように、本第１実施形態の計器は、導光板１０、文字板２０、発光指針３０を備えている。
【００２３】
導光板１０は、アクリルやポリカーボネート等の透明樹脂で形成されており、平板状になっている。導光板１０は、図示しない光源からの光を文字板２０の表示部２１に導光するように構成されている。導光板１０の中央部には、後述する指針軸３１を挿通させるための貫通孔１１が設けられている。
【００２４】
文字板２０は、導光板１０の表面に配設され、透明且つ平板状の樹脂からなる透明基板の表面に不透光性の遮光層を積層して設けている。本第１実施形態においては、遮光層は印刷を施すことにより形成されている。遮光層により、表示部２１としての目盛りおよび数字が形成される。すなわち、目盛りおよび数字の部分には印刷を施さずに透明な状態とすることにより、目盛りおよび数字は、文字板２０の裏面に配置される図示しない光源からの透過光により発光表示される。
【００２５】
図３は、本第１実施形態の発光指針３０を示す断面図である。図３に示すように、発光指針３０は、指針軸３１、指針部材３２、光導入部３３、遮光性キャップ３４を備えている。指針軸３１は、導光板１０の貫通孔１１に挿通され、図示しない駆動装置に固定されている。そして、この駆動装置が作動することで指針軸３１が回動するようになっている。指針部材３２は、指針軸３１の回転に応じて文字板２０の表面に沿って回動し、文字板２０上の表示部２１を指示する。また、指針部材３２は、上述した２つの鉤部１３が設けられていない部分がその可動範囲となるように構成されている。光導入部３３は、後述する導光板１０の出光部１２に対向するように設けられており、図示しない光源からの光を出光部１２を介して指針部材３２内へ導く。遮光性キャップ３４は、指針部材３２の回転中心領域を表面から覆っている。これにより、発光指針３０は、指針部材３２の遮光性キャップ３４から延出する部分のみが発光してユーザに視認される。指針部材３２および光導入部３３は、アクリルやポリカーボネート等の透明樹脂で形成され、遮光性キャップ３４は、遮光性を有する合成樹脂あるいは金属薄板で形成されている。遮光性キャップ３４は、導光板１０の出光部１２を覆うことが可能な略円盤状に形成されている。
【００２６】
次に、本第１実施形態における文字板固定構造を図４〜図６に基づいて説明する。図４は本第１実施形態に係る文字板固定構造を備えた計器の導光板と文字板を分解した状態を示す斜視図、図５は本第１実施形態に係る文字板固定構造を備えた計器の導光板と文字板を示す斜視図、図６は図２のＡ−Ａ断面図、である。図４〜図６において、文字板２０の表示部２１は図示を省略している。
【００２７】
図４に示すように、文字板２０の中央部には、指針軸３１を挿通させるための開口部２２が設けられている。開口部２２は、貫通孔１１よりも大きく形成されている。また、開口部２２は、後述する鉤部１３で係止される２つの被係止部２２ａを有している。被係止部２２ａは、開口部２２において内側に突出して形成されている。
【００２８】
図５および図６が示すように、導光板１０の貫通孔１１の周縁における文字板２０の開口部２２に対応する部位は、文字板２０で覆われておらず、導光板１０が露出する出光部１２が形成されている。
【００２９】
出光部１２には、略Ｌ字型の鉤部１３が２つ設けられている。２つの鉤部１３は、文字板２０側に突出して形成され、その先端が貫通孔１１の円周方向を向くようになっている。本第１実施形態では、鉤部１３の先端は、出光部１２が設けられている側の反対側を向くようになっている。出光部１２および鉤部１３は、文字板２０に直交する方向から見たときに遮光性キャップ３４の内側に位置するように形成されている。２つの鉤部１３は、貫通孔１１の中心を中心とし、出光部１２における貫通孔１１の中心から最も離れた点と中心とを結ぶ直線を半径とする円の内側に設けられている。また、２つの鉤部１３は、貫通孔１１の中心を通って互いに対称となる位置にそれぞれ設けられている。２つの鉤部１３において、Ｌ字型の長辺部１３ａが出光部１２の表面に対して平行になっており、それぞれの長辺部１３ａの向きは同一になっている。また、鉤部１３の出光部１２の表面との隙間（以下、受入部１３ｂという）は、文字板２０の厚みに対応している。また、本第１実施形態では、２つの鉤部１３は導光板１０と一体成形されている。
【００３０】
また、出光部１２における鉤部１３が設けられていない部分を、発光指針３０の指針部材３２の可動範囲とする。
【００３１】
以上が本第１実施形態の構成であるが、次にその作用について述べる。
【００３２】
まず、文字板２０の開口部２２の内側に、導光板１０の２つの鉤部１３がくるように位置合わせをする。次に、導光板１０の受入部１３ｂに、鉤部１３の先端が形成された方向の逆方向から文字板２０の開口部２２をスライドさせる。そして、文字板２０の２つの被係止部２２ａを２つの鉤部１３によってそれぞれ係止する。このようにして、文字板２０は導光板１０の表面に固定される。
【００３３】
以上説明したように、貫通孔１１の中心を中心とし、出光部１２における貫通孔１１の中心から最も離れた点と中心を結んだ直線を半径とする円の内側に、先端が貫通孔１１の円周方向と平行になっている略Ｌ字型の鉤部１３を設けることで、鉤部１３の面積を大きくしても遮光性キャップ３４の面積を大きくする必要がなくなる。このため、計器の美観を損ねることなく、文字板２０を確実に導光板１０に固定することができる。
【００３４】
さらに、鉤部１３を１つだけ設けた場合には、鉤部１３が設けられていない側の文字板２０がめくれてしまうことがあったが、本第１実施形態のように２つの鉤部１３をそれぞれスライド方向に対して反対側の位置に設けることで、文字板２０をより確実に導光板１０に固定することができる。
【００３５】
また、出光部１２における鉤部１３が設けられていない部分を、発光指針３０の可動範囲とすることで、発光指針３０が鉤部１３上に位置するときに光が乱れて照明効果が落ちることを防止でき、発光指針３０を常に均一に照明することができる。
【００３６】
また、文字板２０を導光板１０に固定する精度を高くするために鉤部１３の長辺部１３ａを長くする場合、鉤部１３の上方から文字板２０を圧入すると長辺部１３ａが折れてしまうことがある。これに対し、本第１実施形態のように、導光板１０の受入部１３ｂから文字板２０の開口部２２をスライドさせることにより、鉤部１３の長辺部１３ａを長くしても折れることはなくなり、文字板２０をより確実に導光板１０に固定することができる。
【００３７】
また、本第１実施形態では、発光指針３０の触れ角が小さいフューエルゲージを計器として用いた。この場合、鉤部１３が発光指針３０の可動範囲外に位置するため非常に有効に作用する。この他に、水温ゲージを計器として用いても同様の効果が得られる。
【００３８】
（第２実施形態）
次に、本発明の第２実施形態について図７および図８に基づいて説明する。本第２実施形態は、上記第１実施形態の計器をコンビネーションメータに適用したものである。上記第１実施形態と同様の部分については同一の符号を付して説明を省略する。
【００３９】
図７は本第２実施形態に係るコンビネーションメータを示す正面図で、図８は図７に示すコンビネーションメータから発光指針を取り除いた状態を示す正面図である。図７および図８に示すように、本第２実施形態のコンビネーションメータは、スピードメータＳ、タコメータＴ、フューエルゲージＦ、水温ゲージＷから成り、導光板１０、文字板２０、発光指針３０を備えている。
【００４０】
文字板２０は、車両の速度を表示するためのスピードメータＳ用表示部２１ａ、エンジンの回転数を表示するためのタコメータＴ用表示部２１ｂ、燃料の残量を表示するためのフューエルゲージＦ用表示部２１ｃ、エンジンの冷却水の温度を表示するための水温ゲージＷ用表示部２１ｄを備えている。
【００４１】
スピードメータＳおよびタコメータＴには、上記背景技術の欄で説明した鉤部１３を貫通孔１１の直径方向に１つ設ける文字板固定構造を用いている。一方、フューエルゲージＦおよび水温ゲージＷには、上記第１実施形態の略Ｌ字型の鉤部１３を貫通孔１１の周縁部に２つ設ける文字板固定構造を用いている。本第２実施形態では、鉤部１３の先端は、出光部１２が設けられている側を向くようになっている。そして、文字板２０の開口部２２における出光部１２に対応する部分の反対側は、鉤部１３を挿通できる大きさになっている。また、すべての計器で、鉤部１３の先端の向きが同一となるように構成されている。
【００４２】
以上が本第２実施形態の構成であるが、次にその作用について述べる。まず、文字板２０の開口部２２の内側に、対応する導光板１０の鉤部１３がくるようにそれぞれ位置合わせをする。次に、導光板１０の受入部１３ｂに、鉤部１３の先端が形成された方向の逆方向から文字板２０の開口部２２をスライドさせる。そして、文字板２０の被係止部２２ａを鉤部１３によってそれぞれ係止する。このようにして、文字板２０は導光板１０の表面に固定される。
【００４３】
ところで、図７および図８のようなコンビネーションメータにおいては、スピードメータＳおよびタコメータＴの表示部２１の向きと、フューエルゲージＦおよび水温ゲージＷの表示部２１の向きは１８０度反対になっており、このとき、発光指針３０の光導入部３３の可動範囲に対向する出光部１２の位置も１８０度反対になっている。文字板２０を導光板１０に固定するためには、文字板２０をスライドさせる向きをすべての計器で合わせる必要があるが、貫通孔１１の円周に直交する鉤部１３を有する従来の文字板固定構造をすべての計器で用いると、スピードメータＳおよびタコメータＴの２つの計器、もしくは、フューエルゲージＦおよび水温ゲージＷの２つの計器において発光指針３０の光導入部３３の作動範囲内に鉤部１３が位置することになり、発光指針３０の照明効果を落としてしまうことになる。
【００４４】
これに対して、本第２実施形態のように、フューエルゲージＦおよび水温ゲージＷに上記第１実施形態の文字板固定構造を適用すると、文字板２０を導光板１０にスライドさせて固定したときに、発光指針３０の光導入部の作動範囲内に鉤部１３が位置することがなくなる。よって、発光指針３０の照明効果を落とすことなく文字板２０を導光板１０に固定することができる。
【００４５】
（他の実施形態）
なお、上記第１実施形態では、２つの鉤部１３を貫通孔１１の中心を通って互いに対称となる位置に設けたが、文字板２０をスライドさせて固定できる範囲であればどこに設けてもよい。
【００４６】
また、上記第２実施形態では、フューエルゲージＦおよび水温ゲージＷに第１実施形態の文字板固定構造を適用したが、それに代わりスピードメータＳおよびタコメータＴに第１実施形態の文字板固定構造を適用してもよいし、また、すべての計器に第１実施形態の文字板固定構造を適用してもよい。
【図面の簡単な説明】
【００４７】
【図１】本発明の第１実施形態に係る文字板固定構造を備えた計器を示す正面図である。
【図２】図１に示す計器から発光指針を取り除いた状態を示す正面図である。
【図３】本発明の第１実施形態に係る発光指針を示す断面図である。
【図４】本発明の第１実施形態に係る文字板固定構造を備えた計器の導光板と文字板を分解した状態を示す斜視図である。
【図５】本発明の第１実施形態に係る文字板固定構造を備えた計器の導光板と文字板を示す斜視図である。
【図６】図２のＡ−Ａ断面図である。
【図７】本発明の第２実施形態に係るコンビネーションメータを示す正面図である。
【図８】図７に示すコンビネーションメータから発光指針を取り除いた状態を示す正面図である。
【図９】従来の文字板固定構造を備えた計器の導光板と文字板を示す斜視図である。
【符号の説明】
【００４８】
１０…導光板、１１…貫通孔、１２…出光部、１３…鉤部、２０…文字板、２２…開口部、２２ａ…被係止部、３０…発光指針、３１…指針軸、３３…光導入部、３４…遮光性キャップ。
【図１】
2006112984.tif 000003
【図２】
2006112984.tif 000004
【図３】
2006112984.tif 000005
【図４】
2006112984.tif 000006
【図５】
2006112984.tif 000007
【図６】
2006112984.tif 000008
【図７】
2006112984.tif 000009
【図８】
2006112984.tif 000010
【図９】
2006112984.tif 000011